(57)【要約】【課題】立ち上がりフラップが好適に起立するとともに、立ち上がりフラップの肌への当たりが柔軟に形成された吸収性物品を提供する。【解決手段】トップシート２とバックシート３とこれらの間に設けられた吸収体４とを有する吸収性物品１であって、吸収体４は、前側部４Ａと後側部４Ｃが中間部４Ｂよりも幅広に形成され、吸収性物品１の肌面側に立ち上がりフラップ６が設けられ、立ち上がりフラップ６は、フラップ形成シート７が自由端１１で折り返されることにより形成され、折り返されたフラップ形成シート７の自由端１１を挟んだ一方部と他方部の間に、前後方向ｙに延びるフラップ弾性部材８とアセテート繊維集合体９が設けられ、アセテート繊維集合体９は、前後方向ｙに対して、中間部４Ｂの最も幅狭な部分に少なくとも設けられ、フラップ弾性部材８は、アセテート繊維集合体９の前側端よりも前方および後側端よりも後方に延在している。【選択図】図１
2020130645.tif 000002
【特許請求の範囲】
【請求項１】
吸収体と、前記吸収体の肌面側に設けられたトップシートと、前記吸収体の非肌面側に設けられたバックシートとを有する吸収性物品であって、
前記吸収体は、前側部と後側部とこれらの間の中間部とを有し、前記前側部と前記後側部が前記中間部よりも幅広に形成され、
前記吸収性物品の肌面側に立ち上がりフラップが設けられ、
前記立ち上がりフラップは、立ち上がりの起点となる基部と立ち上がりの先端となる自由端を有し、フラップ形成シートが前記自由端で折り返されることにより形成され、
前記折り返されたフラップ形成シートの前記自由端を挟んだ一方部と他方部の間に、前後方向に延びるフラップ弾性部材とアセテート繊維集合体が設けられ、
前記アセテート繊維集合体は、前後方向に対して、前記中間部の最も幅狭な部分に少なくとも設けられ、
前記フラップ弾性部材は、前記アセテート繊維集合体の前側端よりも前方および後側端よりも後方に延在していることを特徴とする吸収性物品。
【請求項２】
前記アセテート繊維集合体は、前後方向に５０ｍｍ以上の長さで設けられている請求項１に記載の吸収性物品。
【請求項３】
前記フラップ弾性部材は前記フラップ形成シートの前記一方部に取り付けられ、
前記フラップ弾性部材と前記フラップ形成シートの前記他方部の間にアセテート繊維集合体が設けられている請求項１または２に記載の吸収性物品。
【請求項４】
前記フラップ弾性部材は、接着剤により前記フラップ形成シートの前記一方部に取り付けられ、
前記アセテート繊維集合体は、前記フラップ形成シートの前記他方部に設けられた接着領域で前記他方部に接着され、前記フラップ形成シートの前記一方部には、前記フラップ弾性部材に塗布された接着剤により接着され、それ以外の部分では前記フラップ形成シートの前記一方部と非接着とされている請求項３に記載の吸収性物品。
【請求項５】
前記アセテート繊維集合体は、前記フラップ形成シートの前記他方部に接着され、前記フラップ形成シートの前記一方部には接着されていない請求項３に記載の吸収性物品。
【請求項６】
前記立ち上がりフラップは、前記基部から前記自由端の間で、前後方向に延びる折り返し線に沿って折り返されており、
前記折り返し線から前記自由端の間のフラップ先端部に、前記フラップ弾性部材と前記アセテート繊維集合体が設けられており、
前記フラップ形成シートの前記他方部が、前記立ち上がりフラップの倒伏状態で、前記フラップ先端部の肌面側に位置する請求項３〜５のいずれか一項に記載の吸収性物品。
【請求項７】
前記アセテート繊維集合体は、前記立ち上がりフラップの前記基部から前記折り返し線の間には設けられていない請求項６に記載の吸収性物品。
【請求項８】
前記立ち上がりフラップは、前記基部から前記自由端の間で折り返されておらず、
前記フラップ形成シートの前記一方部が、前記立ち上がりフラップの倒伏状態で、前記立ち上がりフラップの肌面側に位置する請求項３〜５のいずれか一項に記載の吸収性物品。
【請求項９】
前記アセテート繊維集合体は、前記立ち上がりフラップの前記基部から離間して設けられ、前記基部よりも前記自由端の近くに設けられている請求項８に記載の吸収性物品。
【請求項１０】
前記アセテート繊維集合体は、前後方向に配向した長繊維から形成されている請求項１〜９のいずれか一項に記載の吸収性物品。
【発明の詳細な説明】
【技術分野】
【０００１】
本発明は、使い捨ておむつ、尿パッド、軽失禁パッド、生理用ナプキン等の吸収性物品に関するものである。
【背景技術】
【０００２】
従来、尿等の排泄物の漏れを防ぐために、肌面側に立ち上がりフラップが設けられた吸収性物品が知られている。立ち上がりフラップには通常弾性部材が設けられており、これにより、吸収性物品を着用した際、弾性部材の収縮力によって立ち上がりフラップが起立し、尿等の横漏れが防止される。尿等の防漏性を高めるためには、立ち上がりフラップと着用者の肌との密着性を高めることが重要となるが、この場合、弾性部材が着用者の肌に対して比較的強く接する可能性があり、その結果、着用者によっては弾性部材によって肌が強く締め付けられたり、違和感を覚えるおそれがある。
【０００３】
立ち上がりフラップに設けられた弾性部材の着用者の肌への当たりを緩和するために、特許文献１には、立ち上がりフラップの自由端部に環状縁部が形成され、環状縁部の頂縁部から１ｍｍ以上離間して弾性部材が設けられた吸収性物品が開示されている。また、立ち上がりフラップではないが、特許文献２には、セルロースアセテート繊維のトウ開繊体が直接または間接的に固定され、当該開繊体とともに一方向に伸縮する伸縮部材を備えた使い捨ておむつ用ギャザー部材が開示されている。
【先行技術文献】
【特許文献】
【０００４】
【特許文献１】特開２００４−１８１２５３号公報
【特許文献２】特開２０１８−０５９２４４号公報
【発明の概要】
【発明が解決しようとする課題】
【０００５】
立ち上がりフラップは、防漏性を高めるために、弾性部材をある程度のテンションで設置することが必要となるが、立ち上がりフラップの肌への密着性を高めると、肌への当たりが強くなり、逆に立ち上がりフラップの肌への当たりを弱めると、立ち上がりフラップが好適に起立せずに横漏れが起こりやすくなる。そのため、それらを両立させた立ち上がりフラップがあれば望ましい。本発明は前記事情に鑑みてなされたものであり、その目的は、立ち上がりフラップが好適に起立するとともに、立ち上がりフラップの肌への当たりが柔軟に形成された吸収性物品を提供することにある。
【課題を解決するための手段】
【０００６】
前記課題を解決することができた本発明の吸収性物品とは、吸収体と、吸収体の肌面側に設けられたトップシートと、吸収体の非肌面側に設けられたバックシートとを有する吸収性物品であって；吸収体は、前側部と後側部とこれらの間の中間部とを有し、前側部と後側部が中間部よりも幅広に形成され；吸収性物品の肌面側に立ち上がりフラップが設けられ；立ち上がりフラップは、立ち上がりの起点となる基部と立ち上がりの先端となる自由端を有し、フラップ形成シートが自由端で折り返されることにより形成され；折り返されたフラップ形成シートの自由端を挟んだ一方部と他方部の間に、前後方向に延びるフラップ弾性部材とアセテート繊維集合体が設けられ；アセテート繊維集合体は、前後方向に対して、中間部の最も幅狭な部分に少なくとも設けられ；フラップ弾性部材は、アセテート繊維集合体の前側端よりも前方および後側端よりも後方に延在しているところに特徴を有する。
【０００７】
本発明の吸収性物品は、アセテート繊維集合体が、フラップ弾性部材とともに、折り返されたフラップ形成シートの間に配されているため、フラップ弾性部材が着用者の肌に強く当たりにくくなり、立ち上がりフラップにクッション性を付与することができる。そのため、立ち上がりフラップが高く起立する吸収体の中間部の最も幅狭な部分では、フラップ弾性部材がアセテート繊維集合体によって着用者の肌に強く当たりにくくなる。一方、フラップ弾性部材は、アセテート繊維集合体の前側端よりも前方および後側端よりも後方に延在するように設けられているため、フラップ弾性部材の両端部ではアセテート繊維集合体によってフラップ弾性部材の収縮力が阻害されない。そのため、立ち上がりフラップが着用者の肌に向かって高く起立しやすくなり、尿等の横漏れ防止効果が高まる。従って、本発明の吸収性物品は、立ち上がりフラップが好適に起立でき、尿等の漏れ防止効果を高めることができるとともに、立ち上がりフラップの着用者の肌への当たりが柔軟に形成され、着用感に優れるものとなる。
【０００８】
アセテート繊維集合体は、前後方向に５０ｍｍ以上の長さで設けられていることが好ましい。これにより、着用者の股間部のより広い範囲において、立ち上がりフラップの着用者の肌への当たりを柔軟なものにすることができる。
【０００９】
フラップ弾性部材はフラップ形成シートの一方部に取り付けられ、フラップ弾性部材とフラップ形成シートの他方部の間にアセテート繊維集合体が設けられることが好ましい。これにより、フラップ弾性部材の収縮力がフラップ形成シートに直接伝わり、フラップ弾性部材の収縮力によって立ち上がりフラップがより高く起立できるようになる。
【００１０】
フラップ弾性部材は、接着剤によりフラップ形成シートの一方部に取り付けられることが好ましい。この場合、アセテート繊維集合体は、フラップ形成シートの他方部に設けられた接着領域でフラップ形成シートの他方部に接着され、フラップ形成シートの一方部には、アセテート繊維集合体はフラップ弾性部材に塗布された接着剤により接着され、それ以外の部分ではフラップ形成シートの一方部と非接着とされていることが好ましい。アセテート繊維集合体はまた、フラップ形成シートの他方部に接着され、フラップ形成シートの一方部には接着されないことも好ましい。これにより、フラップ形成シートの自由端を挟んだ一方部において、フラップ弾性部材の収縮力がフラップ形成シートに伝わりやすくなり、フラップ弾性部材がアセテート繊維集合体と重なる部分において、フラップ弾性部材の収縮力がアセテート繊維集合体によって阻害されにくくなる。
【００１１】
立ち上がりフラップは、例えば、基部から自由端の間で、前後方向に延びる折り返し線に沿って折り返されて構成される。このように構成された立ち上がりフラップでは、折り返し線から自由端の間のフラップ先端部に、フラップ弾性部材とアセテート繊維集合体が設けられ、フラップ弾性部材がフラップ形成シートの一方部に取り付けられ、フラップ形成シートの他方部が、立ち上がりフラップの倒伏状態で、フラップ先端部の肌面側に位置することが好ましい。これにより、立ち上がりフラップが起立した際に、フラップ弾性部材がアセテート繊維集合体を介して着用者の肌に当たりやすくなり、着用者の肌に対するクッション性が高められる。
【００１２】
上記のように形成された立ち上がりフラップでは、アセテート繊維集合体が、立ち上がりフラップの基部から折り返し線の間には設けられないことが好ましい。これにより、立ち上がりフラップが着用者の肌に向かって高く起立しやすくなる。また、吸収性物品の使用前において、立ち上がりフラップを薄く折り畳むことができる。
【００１３】
立ち上がりフラップは、基部から自由端の間で折り返されていないものであってもよい。この場合、フラップ弾性部材がフラップ形成シートの一方部に取り付けられ、フラップ形成シートの一方部が、立ち上がりフラップの倒伏状態で、立ち上がりフラップの肌面側に位置することが好ましい。このように構成された立ち上がりフラップでは、立ち上がりフラップが高く起立するほど、起立状態での立ち上がりフラップの幅方向の内側面が着用者の肌に当たりやすくなる。そのため、フラップ形成シートにおいてフラップ弾性部材が取り付けられる一方部が、立ち上がりフラップの倒伏状態で立ち上がりフラップの肌面側に位置することで、立ち上がりフラップが起立した際に、フラップ形成シートの一方部が幅方向の外側面に位置しやすくなり、フラップ弾性部材がアセテート繊維集合体を介して着用者の肌に当たりやすくなる。
【００１４】
上記のように形成された立ち上がりフラップでは、アセテート繊維集合体は、立ち上がりフラップの基部から離間して設けられ、基部よりも自由端の近くに設けられていることが好ましい。これにより、立ち上がりフラップが着用者の肌に向かってより高く起立しやすくなる。
【００１５】
アセテート繊維集合体は、前後方向に配向した長繊維から形成されていることが好ましい。これにより、フラップ弾性部材の収縮力によって立ち上がりフラップにギャザーが形成された際に、アセテート繊維が前後方向に撓んだり折り畳まれてアセテート繊維集合体の嵩が高まり、立ち上がりフラップのクッション性を高めることができる。
【発明の効果】
【００１６】
本発明の吸収性物品は、立ち上がりフラップが高く起立する吸収体の中間部の最も幅狭な部分で、フラップ弾性部材がアセテート繊維集合体によって着用者の肌に強く当たりにくくなる。一方、フラップ弾性部材の両端部では、フラップ弾性部材の収縮力がアセテート繊維集合体によって阻害されない。そのため、本発明の吸収性物品は、立ち上がりフラップが着用者の肌に向かって高く起立でき、尿等の漏れ防止効果を高めることができるとともに、立ち上がりフラップの着用者の肌への当たりが柔軟なものとなり、着用感に優れるものとなる。
【図面の簡単な説明】
【００１７】
【図１】本発明の吸収性物品の一例として、尿パッドをトップシート側から見た平面図を表す。
【図２】図１に示した吸収性物品のＩＩ−ＩＩ断面図を表す。
【図３】本発明の吸収性物品の一例として、軽失禁パッドをトップシート側から見た平面図を表す。
【図４】図３に示した吸収性物品のＩＶ−ＩＶ断面図を表す。
【発明を実施するための形態】
【００１８】
本発明の吸収性物品について、図面を参照して説明する。なお本発明は、図面に示された実施態様に限定されるものではない。図１および図２には、本発明の吸収性物品の一例として、尿パッドの構成例を示した。図１は、吸収性物品（尿パッド）をトップシート側から見た平面図を表し、図２は、図１に示した吸収性物品のＩＩ−ＩＩ断面図を表す。本願の図では、矢印ｘが幅方向、矢印ｙが前後方向を表し、矢印ｘ，ｙにより形成される面に対して垂直方向が厚み方向ｚを表す。図１では、図面の上側が吸収性物品の前側に相当し、図面の下側が吸収性物品の後側に相当する。
【００１９】
吸収性物品１（１Ａ）は、トップシート２とバックシート３とこれらの間に設けられた吸収体４とを有する。トップシート２は吸収体４の肌面側に配され、バックシート３は吸収体４の非肌面側に配されている。トップシート２を透過した排泄物は、吸収体４により収容される。バックシート３は排泄物が外へ漏れるのを防いでいる。
【００２０】
吸収性物品１は、前後方向ｙと幅方向ｘを有する。前後方向ｙとは、吸収性物品を着用した際に着用者の股間の前後方向に延びる方向に相当する。幅方向ｘとは、吸収性物品と同一面上にあり前後方向ｙと直交する方向を意味し、吸収性物品を着用した際の着用者の左右方向に相当する。また、吸収性物品を着用者が着用した際に、着用者の肌に向かう側を肌面側とし、その反対側を非肌面側とする。
【００２１】
トップシート２は吸収体４の肌面側に配されるシート部材であり、吸収性物品の着用の際に着用者の肌に面するように設けられる。トップシート２は、液透過性であることが好ましい。トップシート２としては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシート２として、織布、編布、有孔プラスチックフィルム等を用いてもよい。
【００２２】
バックシート３は吸収体４の非肌面側に配されるシート部材であり、液不透過性であることが好ましい。バックシート３としては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、バックシート３として、不織布とプラスチックフィルムとの積層体を用いてもよい。
【００２３】
トップシート２やバックシート３として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００２４】
吸収体４は、尿等の排泄物を吸収できる吸収性材料を含むものであれば特に限定されない。吸収体４としては、例えば、吸収性材料を所定形状に成形した成形体を用いたり、あるいは当該成形体を紙シート（例えば、ティッシュペーパーや薄葉紙）や液透過性不織布シート等の被覆シートで覆ったものを用いることができる。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。
【００２５】
吸収性材料は、尿等の吸収速度を高める点から、親水性繊維を含むことが好ましい。また、吸収容量を高める点からは、吸収性材料は吸水性樹脂を含むことが好ましい。従って、吸収体４は親水性繊維（特にパルプ繊維）と吸水性樹脂を含むことが好ましい。この場合、例えば、親水性繊維の集合体に吸水性樹脂を混合または散布したものを用いることが好ましい。
【００２６】
吸収体４は、シート状吸収体であってもよい。シート状吸収体としては、不織布間に吸水性樹脂を有しパルプ繊維を有しないように形成されたものが挙げられる。このように形成されたシート状吸収体は、不織布間に吸水性樹脂を有するため、高い吸収容量を実現できる。また、シート状吸収体は不織布間にパルプ繊維を有しないため、嵩張らず薄型に形成することができる。
【００２７】
シート状吸収体は、吸収性材料として吸水性繊維を用いてもよい。この場合もまた、シート状吸収体は嵩張らず薄型に形成される。吸水性繊維としては、プロトン化または塩形成したカルボキシル基を含有する繊維が挙げられる。例えば、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【００２８】
吸収体４の略砂時計形の平面形状を有している。具体的には、吸収体４は、前側部４Ａと後側部４Ｃとこれらの間の中間部４Ｂとを有し、前側部４Ａと後側部４Ｃが中間部４Ｂよりも幅広に形成されている。これにより、吸収体４が着用者の大腿部に挟まれて幅方向ｘに圧迫されても歪みにくくなる。吸収体４において、前側部４Ａと中間部４Ｂとは、前側部４Ａの最も幅広な部分（具体的には、前側部４Ａの最も幅広な部分の最も後側の位置）と中間部４Ｂの最も幅狭な部分（具体的には、中間部４Ｂの最も幅狭な部分の最も前側の位置）の前後方向ｙの中間点において区分され、後側部４Ｃと中間部４Ｂとは、後側部４Ｃの最も幅広な部分（具体的には、後側部４Ｃの最も幅広な部分の最も前側の位置）と中間部４Ｂの最も幅狭な部分（具体的には、中間部４Ｂの最も幅狭な部分の最も後側の位置）の前後方向ｙの中間点で区分される。
【００２９】
吸収性物品１の肌面側には立ち上がりフラップ６が設けられる。立ち上がりフラップ６を設けることにより、尿等の横漏れが防止される。立ち上がりフラップ６には前後方向ｙに延びるフラップ弾性部材８が設けられ、フラップ弾性部材８の収縮力によって立ち上がりフラップ６の起立が促進される。
【００３０】
立ち上がりフラップ６は、立ち上がりの起点となる基部１０と立ち上がりの先端となる自由端１１を有し、基部１０と自由端１１の間にフラップ弾性部材８が設けられる。図２では、立ち上がりフラップ６の基部１０がトップシート２に接合されているが、立ち上がりフラップ６の基部１０は、例えば幅方向ｘの両側部が吸収体４の肌面側に折り返されたバックシート３に接合されてもよく、これらの両方に接合されてもよい。立ち上がりフラップ６は、前側端部と後側端部がトップシート２および／またはバックシート３に接合され、前側端部と後側端部の間の部分にフラップ弾性部材８が設けられることにより、起立可能に形成されることが好ましい。
【００３１】
立ち上がりフラップ６はフラップ形成シート７から構成することができ、フラップ形成シート７が自由端１１で折り返されることにより立ち上がりフラップ６が形成され、折り返されたフラップ形成シート７の間にフラップ弾性部材８が配される。すなわち、自由端１１で折り返されたフラップ形成シート７の自由端１１を挟んだ一方部７Ａと他方部７Ｂの間に、フラップ弾性部材８が設けられる。図面では、フラップ形成シート７は基部１０でトップシート２に接合されている。
【００３２】
フラップ形成シート７は、液不透過性のプラスチックフィルムや液不透過性の不織布等により構成することができ、バックシート３に使用可能なシート材料を用いることができる。フラップ形成シート７は、トップシート２の幅方向ｘの両側に設けられたサイドシートによって形成されてもよい。この場合、サイドシートのトップシート２との接合部より幅方向ｘの内方部分をフラップ形成シート７とすることができる。
【００３３】
フラップ弾性部材８は、図１に示すように、前後方向ｙに対して、吸収体４の中間部４Ｂの最も幅狭な部分に少なくとも設けられる。好ましくは、フラップ弾性部材８は、前後方向ｙに対して、吸収体４の前側部４Ａから後側部４Ｃかけて少なくとも設けられ、より好ましくは、吸収体４の前側部４Ａの最も幅広な部分から後側部４Ｃの最も幅広な部分にかけて少なくとも設けられる。フラップ弾性部材８は、これらの前後方向ｙの範囲において連続的に設けられることが好ましい。吸収体４の前側部４Ａの最も幅広な部分が前後方向ｙに対してある程度の長さで形成される場合は、フラップ弾性部材８の前側端が、前後方向ｙに対して、前側部４Ａの最も幅広な部分の最も後側の位置かそれよりも前方にあることが好ましい。吸収体４の後側部４Ｃの最も幅広な部分が前後方向ｙに対してある程度の長さで形成される場合は、フラップ弾性部材８の後側端が、前後方向ｙに対して、後側部４Ｃの最も幅広な部分の最も前側の位置かそれよりも後方にあることが好ましい。このようにフラップ弾性部材８が設けられることにより、着用者の大腿部で挟まれた部分で立ち上がりフラップ６が着用者の肌に向かって立ち上がり、尿等の横漏れを防ぐことができる。
【００３４】
フラップ弾性部材８は、伸張状態でフラップ形成シート７に直接または間接的に取り付けられることが好ましい。これにより、フラップ弾性部材８の収縮力によって立ち上がりフラップ６が起立しやすくなる。フラップ弾性部材８は伸張倍率１．２倍以上５．０倍以下で取り付けられることが好ましく、当該伸張倍率は１．５倍以上がより好ましく、１．８倍以上がさらに好ましく、また４．０倍以下がより好ましく、３．５倍以下がさらに好ましい。ここで説明した伸張倍率は、非伸張状態を１．０倍とする。
【００３５】
フラップ弾性部材８としては、ポリウレタン糸、ポリウレタンフィルム、天然ゴム等の通常の吸収性物品に用いられる弾性伸縮材料を用いることができる。なお、下記に説明する様々な弾性部材についても、同様の弾性伸縮材料を用いることができる。
【００３６】
立ち上がりフラップ６は、防漏性を高める観点から、できるだけ高く着用者の肌に向かって立ち上がることが好ましい。しかしこの場合、立ち上がりフラップ６のフラップ弾性部材８が設けられた部分が着用者の肌に強く当たりやすくなり、着用感の低下に繋がる。そこで吸収性物品１では、自由端１１で折り返されたフラップ形成シート７の自由端１１を挟んだ一方部７Ａと他方部７Ｂの間に、フラップ弾性部材８とともにアセテート繊維集合体９を設けている。アセテート繊維集合体９は、綿等の天然のセルロース繊維のように柔軟に形成することができるとともに、セルロース繊維と比べて非常に嵩高に形成することができ、弾性回復力に優れるものとなる。そのため、アセテート繊維集合体９をフラップ弾性部材８と重ねて、折り返されたフラップ形成シート７の間に配することにより、立ち上がりフラップ６にクッション性が付与され、立ち上がりフラップ６の肌への当たりを柔軟なものとすることができる。
【００３７】
フラップ弾性部材８は、アセテート繊維集合体９の前側端よりも前方および後側端よりも後方に延在するように設けられる。詳細には、フラップ弾性部材８は、アセテート繊維集合体９の前側端よりも前方の位置から後側端よりも後方の位置まで連続的に延在するように設けられる。このようにフラップ弾性部材８とアセテート繊維集合体９を設けることにより、立ち上がりフラップ６が高く起立する中間部４Ｂの最も幅狭な部分では、フラップ弾性部材８がアセテート繊維集合体９によって着用者の肌に強く当たりにくくなる。一方、フラップ弾性部材８の前後方向ｙの両端部では、フラップ弾性部材８がアセテート繊維集合体９と重なって設けられないことにより、フラップ弾性部材８の収縮力が前後方向ｙの両端部で阻害されない。そのため、立ち上がりフラップ６が着用者の肌に向かって高く起立しやすくなり、尿等の横漏れ防止効果が高まる。フラップ弾性部材８は、アセテート繊維集合体９の前側端よりも１０ｍｍ以上前方に延在することが好ましく、２０ｍｍ以上がより好ましく、３０ｍｍ以上がさらに好ましく、またアセテート繊維集合体９の後側端よりも１０ｍｍ以上後方に延在することが好ましく、２０ｍｍ以上がより好ましく、３０ｍｍ以上がさらに好ましい。
【００３８】
なお、フラップ弾性部材８とアセテート繊維集合体９の前後方向ｙの位置関係は、フラップ弾性部材８を細かく切断するなどして、フラップ弾性部材８の収縮力が発現しない状態で測定される。本発明における様々な長さや位置の測定は同様に、吸収性物品１に配された弾性部材を細かく切断するなどして、弾性部材の収縮力が発現しない状態で行うものとする。
【００３９】
アセテート繊維集合体９は、前後方向ｙに対して、中間部４Ｂの最も幅狭な部分に少なくとも設けられればよいが、アセテート繊維集合体９は、前後方向ｙに５０ｍｍ以上の長さで設けられることが好ましく、８０ｍｍ以上がより好ましく、１００ｍｍ以上がさらに好ましい。これにより、着用者の股間部のより広い範囲において、立ち上がりフラップ６の着用者の肌への当たりを柔軟なものにすることができる。アセテート繊維集合体９の前後方向ｙの長さの上限は、例えば３００ｍｍ以下が好ましく、２５０ｍｍ以下がより好ましく、２００ｍｍ以下がさらに好ましい。アセテート繊維集合体９の幅は、例えば３ｍｍ以上が好ましく、５ｍｍ以上がより好ましく、８ｍｍ以上がさらに好ましく、また３０ｍｍ以下が好ましく、２５ｍｍ以下がより好ましく、２０ｍｍ以下がさらに好ましい。
【００４０】
アセテート繊維集合体９は、前後方向ｙに対して、吸収体４の前側部４Ａの最も幅広な部分およびそれより前方ならびに後側部４Ｃの最も幅広な部分およびそれより後方には設けられないことが好ましい。これにより、アセテート繊維集合体９と重ならない部分で立ち上がりフラップ６の通気性が高まり、吸収性物品１の着用者の腹部や臀部における蒸れを抑えることができる。なお、吸収体４の前側部４Ａの最も幅広な部分が前後方向ｙに対してある程度の長さで形成される場合は、アセテート繊維集合体９の前側端が、前後方向ｙに対して、前側部４Ａの最も幅広な部分の最も後側の位置よりも後方にあることが好ましい。吸収体４の後側部４Ｃの最も幅広な部分が前後方向ｙに対してある程度の長さで形成される場合は、アセテート繊維集合体９の後側端が、前後方向ｙに対して、後側部４Ｃの最も幅広な部分の最も前側の位置よりも前方にあることが好ましい。
【００４１】
アセテート繊維としては、セルロースジアセテート繊維とセルローストリアセテート繊維の２種類が広く用いられているが、アセテート繊維としてはジアセテート繊維を用いることが好ましい。セルロースジアセテートは、セルロースの無水グルコースの繰り返し単位に含まれる３個の水酸基のうち、平均で２．２２個以上２．７６個未満の水酸基がアセチル化されていること、すなわちエステル化度が２．２２以上２．７６未満であることが好ましい。
【００４２】
アセテート繊維集合体９は、前後方向ｙに配向した長繊維から形成されていることが好ましい。具体的には、アセテート繊維集合体９を構成するアセテート繊維は長繊維から構成され、当該長繊維が前後方向ｙに配向していることが好ましい。これにより、フラップ弾性部材８の収縮力によって立ち上がりフラップ６にギャザーが形成された際に、アセテート繊維が前後方向ｙに撓んだり折り畳まれてアセテート繊維集合体９の嵩が高まり、立ち上がりフラップ６のクッション性を高めることができる。
【００４３】
アセテート繊維は長繊維の束（フィラメント束）として用いることが好ましい。例えば、アセテート繊維集合体９をトウから形成し、この状態で自由端１１で折り返されたフラップ形成シート７の間に挟んだり、アセテート繊維集合体９をトウ開繊繊維として自由端１１で折り返されたフラップ形成シート７の間に挟むことができる。アセテート繊維の長繊維の長さとしては、５ｃｍ以上が好ましく、１０ｃｍ以上がより好ましく、１５ｃｍ以上がさらに好ましい。アセテート繊維の長繊維は、アセテート繊維集合体９の前後方向ｙの全体にわたって連続的に延びるものであってもよい。
【００４４】
アセテート繊維の繊度は特に限定されないが、使用上十分な強度を有するようにする点から、例えば０．１ｄｔｅｘ〜１０ｄｔｅｘであることが好ましい。
【００４５】
アセテート繊維集合体９は、アセテート繊維を主成分として含んでいればよく、アセテート繊維以外の繊維を含んでいてもよい。アセテート繊維集合体９は、アセテート繊維を５０質量％以上の割合で含むことが好ましく、７０質量％以上がより好ましく、８０質量％以上がさらに好ましく、９０質量％以上がさらにより好ましい。アセテート繊維集合体９は、繊維成分として、アセテート繊維のみから構成されていることが特に好ましい。一方、フラップ形成シート７はアセテート繊維を含まないことが好ましい。
【００４６】
アセテート繊維集合体９は、立ち上がりフラップ６の基部１０よりも自由端１１の近くに設けられることが好ましい。例えば、図１および図２に示されるように、立ち上がりフラップ６が基部１０から自由端１１の間で折り返されない場合は、アセテート繊維集合体９は、立ち上がりフラップ６の基部１０から離間して設けられ、基部１０よりも自由端１１の近くに設けられることが好ましい。フラップ弾性部材８も同様に、立ち上がりフラップ６の基部１０から離間して設けられ、基部１０よりも自由端１１の近くに設けられることが好ましい。また後述する図３および図４に示されるように、立ち上がりフラップ６が、基部１０から自由端１１の間で前後方向ｙに延びる折り返し線１２に沿って折り返されている場合は、折り返し線１２から自由端１１の間のフラップ先端部１３に、フラップ弾性部材８とアセテート繊維集合体９が設けられることが好ましい。これにより、立ち上がりフラップ６が着用者の肌に向かってより高く起立しやすくなる。
【００４７】
アセテート繊維集合体９は、幅方向ｘの断面で見たときに、フラップ弾性部材８と並んで設けられてもよく、フラップ弾性部材８を囲むように設けられてもよい。なお、フラップ弾性部材８の収縮力によって立ち上がりフラップ６がより高く起立できるようにする点から、フラップ弾性部材８はフラップ形成シート７に取り付けられることが好ましい。これにより、フラップ弾性部材８の収縮力がフラップ形成シート７に直接伝わり、立ち上がりフラップ６の起立が促進される。具体的には、図２に示すように、フラップ弾性部材８がフラップ形成シート７の一方部７Ａに取り付けられ、フラップ弾性部材８とフラップ形成シート７の他方部７Ｂの間にアセテート繊維集合体９が設けられることが好ましい。この場合、フラップ形成シート７において、自由端１１を挟んでフラップ弾性部材８が取り付けられる側が一方部７Ａとなる。立ち上がりフラップ６の基部１０は、フラップ形成シート７の一方部７Ａに設けられてもよく、他方部７Ｂに設けられてもよく、その両方に設けられてもよい。図２では、フラップ形成シート７の一方部７Ａに基部１０が形成されている。
【００４８】
フラップ弾性部材８は、接着剤によりフラップ形成シート７に取り付けられることが好ましい。接着剤としては、ホットメルト接着剤を用いることが好ましく、より好ましくはゴム系のホットメルト接着剤を用いる。なお、フラップ弾性部材８は、アセテート繊維集合体９と重なる部分で、フラップ形成シート７の自由端１１を挟んだ他方部７Ｂには取り付けられないことが好ましい。
【００４９】
アセテート繊維集合体９は、フラップ形成シート７の自由端１１を挟んだ他方部７Ｂに接着されることが好ましい。具体的には、アセテート繊維集合体９は、フラップ形成シート７の他方部７Ｂに設けられた接着領域でフラップ形成シート７の他方部７Ｂに接着されることが好ましい。これにより、フラップ弾性部材８の伸縮によって立ち上がりフラップ６のギャザーが前後方向ｙに伸び縮みしても、アセテート繊維集合体９をフラップ形成シート７の所定の位置にしっかりと固定することができる。アセテート繊維集合体９がフラップ形成シート７の他方部７Ｂに接着される接着領域は、所定の幅で、前後方向ｙに連続的または断続的に設けられることが好ましい。接着領域の幅は、３ｍｍ以上が好ましく、５ｍｍ以上がより好ましく、８ｍｍ以上がさらに好ましく、また３０ｍｍ以下が好ましく、２５ｍｍ以下がより好ましく、２０ｍｍ以下がさらに好ましい。接着領域を前後方向ｙに断続的に設ける場合は、その断続部の前後方向ｙの長さは５０ｍｍ以下が好ましく、３０ｍｍ以下がより好ましく、２０ｍｍ以下がさらに好ましい。接着領域はまた、少なくともアセテート繊維集合体９の前側端から後方に３０ｍｍ以内に存在することが好ましく、２０ｍｍ以内がより好ましく、１０ｍｍ以内がさらに好ましく、アセテート繊維集合体９の後側端から前方に３０ｍｍ以内に存在することが好ましく、２０ｍｍ以内がより好ましく、１０ｍｍ以内がさらに好ましい。
【００５０】
アセテート繊維集合体９は、フラップ形成シート７の自由端１１を挟んだ一方部７Ａには接着されないか、限定された部分のみで一方部７Ａに接着されることが好ましい。後者の場合、アセテート繊維集合体９は、フラップ弾性部材８に塗布された接着剤によりフラップ形成シート７の一方部７Ａに接着され、それ以外の部分ではフラップ形成シート７の一方部７Ａと非接着とされていることが好ましい。これにより、フラップ形成シート７の自由端１１を挟んだ一方部７Ａにおいて、フラップ弾性部材８の収縮力がフラップ形成シート７に伝わりやすくなり、フラップ弾性部材８がアセテート繊維集合体９と重なる部分において、フラップ弾性部材８の収縮力がアセテート繊維集合体９によって阻害されにくくなる。
【００５１】
立ち上がりフラップ６は、フラップ形成シート７の自由端１１を挟んだ一方部７Ａと他方部７Ｂのどちらが吸収性物品１の肌面側に面していてもよい。好ましくは立ち上がりフラップ６は、立ち上がった際に、よりクッション性が高いフラップ形成シート７の他方部７Ｂが着用者の肌に当たるように形成される。すなわち立ち上がりフラップ６は、フラップ形成シート７の自由端１１を挟んだ他方部７Ｂが着用者の肌に当たるように形成されることが好ましい。
【００５２】
図１および図２に示した吸収性物品１Ａは、立ち上がりフラップ６が基部１０から自由端１１の間で折り返されていないが、この場合は、フラップ形成シート７の一方部７Ａが、立ち上がりフラップ６の倒伏状態で、立ち上がりフラップ６の肌面側に位置することが好ましい。吸収性物品１Ａでは、立ち上がりフラップ６が高く起立するほど、起立状態での立ち上がりフラップ６の幅方向ｘの内側面が着用者の肌に当たりやすくなる。そのため、フラップ形成シート７においてフラップ弾性部材８が取り付けられる一方部７Ａが、立ち上がりフラップ６の倒伏状態で立ち上がりフラップ６の肌面側に位置することで、立ち上がりフラップ６が起立した際に、フラップ形成シート７の一方部７Ａが幅方向ｘの外側面に位置しやすくなり、フラップ弾性部材８がアセテート繊維集合体９を介して着用者の肌に当たりやすくなる。なお、フラップ弾性部材８の収縮力がそれほど強くない場合は、立ち上がりフラップ６の起立の程度が抑えられ、起立状態での立ち上がりフラップ６の幅方向ｘの外側面が着用者の肌に当たりやすくなる場合もある。そのような場合は、フラップ形成シート７の他方部７Ｂが、立ち上がりフラップ６の倒伏状態で、立ち上がりフラップ６の肌面側に位置していてもよい。
【００５３】
図３および図４には、本発明の吸収性物品の他の一例として、軽失禁パッドの構成例を示した。図３は、吸収性物品（軽失禁パッド）を肌面側から見た平面図を表し、図４は、図３に示した吸収性物品のＩＶ−ＩＶ断面図を表す。図３および図４に示した吸収性物品において、図１および図２の吸収性物品と同じ構成部材は同一の参照符号を用いて示されており、これらの部材の詳細については、上記の説明が参照される。
【００５４】
吸収性物品１（１Ｂ）は、トップシート２とバックシート３とこれらの間に設けられた吸収体４とを有し、バックシート３と吸収体４の間にさらに台紙５が設けられている。台紙５により吸収性物品１Ｂの形状保持性を向上させることができる。台紙５は、クレープ紙や不織布から構成することができる。台紙５は設けなくてもよい。
【００５５】
吸収性物品１Ｂでは、立ち上がりフラップ６は、基部１０から自由端１１の間で、前後方向ｙに延びる折り返し線１２に沿って折り返されており、折り返し線１２から自由端１１の間の部分であるフラップ先端部１３に、フラップ弾性部材８とアセテート繊維集合体９が設けられている。このように形成された吸収性物品１Ｂでは、フラップ弾性部材８がフラップ形成シート７の自由端１１を挟んだ一方部７Ａに取り付けられ、フラップ形成シート７の他方部７Ｂが、立ち上がりフラップ６の倒伏状態、すなわち立ち上がりフラップ６が折り畳まれた状態で、フラップ先端部１３の肌面側に位置していることが好ましい。これにより、立ち上がりフラップ６が起立した際に、フラップ弾性部材８がアセテート繊維集合体９を介して着用者の肌に当たりやすくなり、着用者の肌に対するクッション性が高められる。吸収性物品１Ｂでは、フラップ形成シート７の他方部７Ｂに基部１０が形成されることとなる。
【００５６】
吸収性物品１Ｂでは、アセテート繊維集合体９は、立ち上がりフラップ６の基部１０から折り返し線１２の間の部分であるフラップ起立部１４には設けられないことが好ましい。これにより、立ち上がりフラップ６が着用者の肌に向かって高く起立しやすくなる。また、吸収性物品１Ｂの使用前において、立ち上がりフラップ６を薄く折り畳むことができる。一方、フラップ弾性部材８はフラップ起立部１４に設けられてもよい。
【００５７】
なお、図３および図４では、立ち上がりフラップ６の折り返し線１２はフラップ先端部１３の幅方向ｘの外方端に形成されているが、立ち上がりフラップ６の折り返し線１２はフラップ先端部１３の幅方向ｘの内方端に形成されていてもよい。この場合、立ち上がりフラップ６の自由端１１は、フラップ先端部１３の幅方向ｘの外方端に位置することとなる。
【００５８】
以上、本発明の吸収性物品について図面を参照して説明したが、本発明の吸収性物品は図面に示したような尿パッドや軽失禁パッドに限定されず、使い捨ておむつや生理用ナプキンであってもよい。
【００５９】
吸収性物品が使い捨ておむつである場合、使い捨ておむつは、例えば、前腹部と後背部とこれらの間に位置し吸収体が備えられた股部とから構成される。前腹部は、使い捨ておむつを着用の際に着用者の腹側に当てる部分に相当し、後背部は、使い捨ておむつを着用の際に着用者の背側に当てる部分に相当する。股部は、前腹部と後背部との間に位置し、着用者の股間に当てる部分に相当する。
【００６０】
使い捨ておむつは、テープタイプの使い捨ておむつであってもよく、パンツタイプの使い捨ておむつであってもよい。テープタイプの使い捨ておむつは、例えば、後背部の幅方向の両端部に止着部材が設けられて構成され、当該止着部材を前腹部に止着することにより、着用時にパンツ形状に形成することができる。パンツタイプの使い捨ておむつは、ウェスト開口部と一対の脚開口部とを有するパンツ形状を有し、着用前からパンツ形状に形成されているものである。
【００６１】
吸収性物品が使い捨ておむつである場合は、使い捨ておむつは、例えば、トップシートとバックシートの間に吸収体が配された積層体が、前腹部と後背部とこれらの間に位置する股部とを有するように形成される。使い捨ておむつはまた、前腹部と後背部とこれらの間に位置する股部とを有する外装部材の股部に、トップシートとバックシートの間に吸収体が配された吸収性本体を設けて構成することもできる。後者の場合、外装部材をパンツ形状に形成することで、パンツタイプの使い捨ておむつとすることができる。いずれの場合も、吸収性物品の肌面側（例えばトップシート）に立ち上がりフラップを設け、上記に説明したように吸収体と立ち上がりフラップを形成することにより、本発明の吸収性物品とすることができる。
【符号の説明】
【００６２】
１，１Ａ，１Ｂ：吸収性物品
２：トップシート
３：バックシート
４：吸収体
６：立ち上がりフラップ
７：フラップ形成シート、７Ａ：一方部、７Ｂ：他方部
８：フラップ弾性部材
９：アセテート繊維集合体
１０：基部
１１：自由端
１２：折り返し線
【図１】
2020130645.tif 000003
【図２】
2020130645.tif 000004
【図３】
2020130645.tif 000005
【図４】
2020130645.tif 000006